【手続補正書】
【提出日】平成16年5月11日(2004.5.11)
【手続補正１】
【補正対象書類名】明細書
【補正対象項目名】全文
【補正方法】変更
【補正の内容】
【書類名】明細書
【発明の名称】電子ペット及び防犯装置
【特許請求の範囲】
【請求項１】カメラ映像や物理センサーからの情報とマイクロホンからの情報を、環境状態を示す内部パラメータに変換し、前記内部パラメータにより音声を記憶させてある記憶媒体から音声を選択し発生させることを特徴とする物理的生命体オブジェクトが存在しない電子ペットにおいて前記映像、物理センサー、マイクロホンからの情報が不特定及び特定話者識別、認識され、識別及び認識した情報に対応した音声及び音量を発生することを特徴とする電子ペット。
【請求項２】前記請求項１にて発生する音声キャラクターが複数であり、話者認識及び音声認識によりその発生する前記キャラクターが異なることを特徴とする電子ペット及び防犯装置。
【請求項３】請求項１及び２に記載の電子ペット及び防犯装置において前記内部パラメータが自身の更新を行うことを特徴とする電子ペット及び防犯装置。
【請求項４】前記請求項３に記載の電子ペット及び防犯装置においてＬＡＮ、電話及びインターネットにて、環境状態及びメッセージを送信できることを特徴とする電子ペット及び防犯装置。
【請求項５】前記請求項１における前記パラメータ及び前記記憶媒体がパーソナルコンピュータの記憶装置内に設けられていることを特徴とする防犯装置を兼ねる電子ペットである。
【発明の詳細な説明】
【０００１】
【産業上の利用分野】
本発明は、電子ペットとして飼い主の心をなぐさめるばかりでなく、センサー及びマイクロホン、防犯カメラ等からの環境状態の変化を読み取り、状況に応じた音質、音声にて反応を示すことにより、あたかも番犬がいるように思わせることができるので、防犯に役立てることができる。また、音声認識により命令を実行するので、飼い主が、緊急を要する自体に陥った時、音声にてインターネット等を通じて遠方の人間に助けを求めることができる。
また、話者認識と音声認識により返答する電子ペットの音声キャラクターが複数であるため、あたかも複数のペットが存在しているかのように、発する命令によりそれぞれ違った、電子ペットが登場して、命令を実行する。
【０００２】
【従来の技術】
従来、防犯は民間の警備会社により行われているが、これらは価格も高く一人暮らしの老人などが購入できる一般的なものではなかった。
【０００３】
【発明が解決しようとする課題】
本発明は、パーソナルコンピュータを利用してペットが実際に存在するかのように、音声認識者と不認識者に対して異なったキャラクター音声にて反応しペットとして飼い主の心を和ませるばかりでなく、緊急状態においては、遠方の人間に事態を、連絡できるペットを兼ねた防犯装置を低価格にて提供することにある。
【課題を解決するための手段】
【０００４】
本発明は、カメラ映像や物理センサーからの情報とマイクロホンからの情報を、環境状態を示す内部パラメータに変換し、前記内部パラメータにより音声を記憶させてある記憶媒体から音声を選択し発生させることを特徴とする物理的生命体オブジェクトが存在しない電子ペットにおいて前記映像、物理センサー、マイクロホンからの情報が不特定及び特定話者識別、認識され、識別及び認識した情報に対応した音声及び音量を発生することを特徴とする電子ペットである。
【０００５】
本発明は、カメラ映像や物理センサーからの情報とマイクロホンからの情報を、環境状態を示す内部パラメータに変換し、前記内部パラメータにより音声を記憶させてある記憶媒体から音声を選択し発生させることを特徴とする物理的生命体オブジェクトが存在しない電子ペットにおいて前記映像、物理センサー、マイクロホンからの情報が不特定及び特定話者識別、認識され、識別及び認識した情報に対応した音声及び音量を発生することを特徴とする電子ペットにて発生する音声キャラクターが複数であり、話者認識及び音声認識によりその発生する前記キャラクターが異なることを特徴とする電子ペット及び防犯装置である。
【０００６】
本発明は、カメラ映像や物理センサーからの情報とマイクロホンからの情報を、環境状態を示す内部パラメータに変換し、前記内部パラメータにより音声を記憶させてある記憶媒体から音声を選択し発生させることを特徴とする物理的生命体オブジェクトが存在しない電子ペットにおいて前記映像、物理センサー、マイクロホンからの情報が不特定及び特定話者識別、認識され、識別及び認識した情報に対応した音声及び音量を発生することを特徴とする電子ペットにて発生する音声キャラクターが複数であり、話者認識及び音声認識によりその発生する前記キャラクターが異なることを特徴とする電子ペット及び防犯装置にて前記内部パラメータを時間経過による前記パラメータの変化により前記内部パラメータ自身の更新を行うことを特徴とする電子ペット及び防犯装置である。
【０００７】
本発明は、カメラ映像や物理センサーからの情報とマイクロホンからの情報を、環境状態を示す内部パラメータに変換し、前記内部パラメータにより音声を記憶させてある記憶媒体から音声を選択し発生させることを特徴とする物理的生命体オブジェクトが存在しない電子ペットにおいて前記映像、物理センサー、マイクロホンからの情報が不特定及び特定話者識別、認識され、識別及び認識した情報に対応した音声及び音量を発生することを特徴とする電子ペットにて発生する音声キャラクターが複数であり、話者認識及び音声認識によりその発生する前記キャラクターが異なることを特徴とする電子ペット及び防犯装置にて前記内部パラメータが自身の更新を行うことを特徴とかつＬＡＮ、電話及びインターネットにて、環境状態及びメッセージを送信できることを特徴とする電子ペット及び防犯装置である。
【０００８】
本発明は、カメラ映像や物理センサーからの情報とマイクロホンからの情報を、環境状態を示す内部パラメータに変換し、前記内部パラメータにより音声を記憶させてある記憶媒体から音声を選択し発生させることを特徴とする物理的生命体オブジェクトが存在しない電子ペットにおいて前記映像、物理センサー、マイクロホンからの情報が不特定及び特定話者識別、認識され、識別及び認識した情報に対応した音声及び音量を発生することを特徴とする電子ペットにおいて前記パラメータ及び前記記憶媒体がパーソナルコンピュータの記憶装置内に設けられていることを特徴とする防犯装置を兼ねる電子ペットである。
【発明の詳細な説明】
【０００９】
本発明は、物体の動き、臭い、大気圧力、温度、振動、煙、湿度などの物理センサーからの環境情報の変化を読み取り状況に応じた反応を音声で示すことにより、あたかも番犬がいるように思わせることができるので、防犯に役立てることができる。また、飼い主となる人の声に応じて命令を実行するので、飼い主が、緊急を要する状態に陥った時、インターネットなどを通じて遠方の人間に助けをもとめることができる。
【作用】
【００１０】
【実施例】
図面を参照に、説明を行う。
図１は本電子ペットの一構造を示した、概要図であり電子ペットの飼い主にあたる、音声認識済話者１が発する命令をマイクロホンにて音声信号に変換し、話者識別回路２にて話者識別を行い、飼い主であることを確認し、次にその音声内容を認識する、これらの情報は内部パラメータ３に変換されて、その値を基に記憶媒体５に記憶されている音声をパラメータの音量にて出力する。
【００１１】
内部パラメータは、物理センサーからとＣＣＤやマイクロホンからの双方の情報を３において合成し内部パラメータを変換できる。
物理センサーからの情報、例えば雨が急に降ってきた場合は、湿度センサー等によりその環境状態を感知して降水警告を発することができる。
この場合は、物理センサーのみの情報でペットは自発的に行動を起こす。
煙や異常な温度上昇を感じた場合は、火災発生とみなし音声にて警告を行うが決められた時間または、警告回数においてもこの指令が解除されない場合は、４にて内部パラメータは更新され電話回線などを通じてあらかじめ設定されている、場所に危険メッセージを送信する。
【００１２】
また、飼い主の語りかける会話に応じても返答するばかりでなくその命令の種類により、ハードウエアーの操作もできる。これは例えば、電気の消灯スイッチなどの操作を命令により行うことができることなどである。ペットの音声キャラクターは複数であり、その命令に応じて違ったキャラクターが現れる、例えば通常の挨拶などの会話においてのキャラクターと留守にして防犯してもらう番犬キャラクターは別にすることができる。
【００１３】
図２は、内部パラメータの機能概要説明を示している、ここでいう内部パラメータとは、記憶媒体に記憶させてある音声をその状況に合わせて選択してスピーカからの音声に変換したり、またその音量及びキャラクターをも選択する指令値である。
この図２においては、３つの物理センサーａ，ｂ，ｃからの情報とマイクロホンから収集された音の大小と継続時間により、マイクロホンと物理センサーによる準パラメータが別々に作成され、これらの準パラメータは１つの内部パラメータ合成される。
【００１４】
この図２においては、８の表の内部パラメータがＡ−１−２になる。
これは番犬キャラクターＡが吼える１音声にて音量は２であることの指令値となる。この音声は９に示すようにスピーカにて発せられる。
上記において内部パラメータが次なるサンプリング時間経過においても同じ場合、１０に示しているように内部パラメータは時間経過において自ら変更を行う。
図２の場合は、吼えるの音量２から激しく吼えるの音量１０に変化し、遠方の人間に電話などを通じて危険自体を送信する。これは１１に示してある。
【００１５】
【発明の効果】
本発明により、ペットとして飼い主の心を慰めるばかりでなく、緊急事態が発生した場合にそれを知らせる防犯装置としても役立てることができる。
【図面の簡単な説明】
【図１】
本発明品の機能を表す概要図である。
【図２】
内部パラメータの機能を示した概略図である。
【符号の説明】
Ａ  パソコン本体
１  音声認識済話者（電子ペットの飼い主にあたる）
２  話者認識、音声認識回路
３  内部パラメータ変換回路
４  内部パラメータ更新回路
５  音声記憶媒体及び出力、及びハードウエアー操作回路
６  電話
７  メッセージ受け手
８  内部パラメータ概要図
９  音声選択回路
１０内部パラメータ更新回路
１１音声選択回路


【手続補正２】
【補正対象書類名】図面
【補正対象項目名】補正内容のとおり
【補正方法】変更
【補正の内容】
【補正対象書類名】図面
【補正対象項目名】図面１
【補正方法】変更
【補正の内容】
【図１】2001093062.tif 000001